(57)【要約】【目的】雨仕舞いが良好で、取り付けも簡単であり、強度も優れた屋根上取り付け金具を提供する。【構成】台座ｂには、屋根面載置部ｂ１と、屋根面載置部ｂ１の左右が立ち上げられた立ち上げ部ｂ７・ｂ７とが形成されており、屋根面載置部ｂ１は、取り付けられたときに軒棟方向となる側がそれぞれ延出されて下段ハゼ下挿入部ｂ５と上段ハゼ下挿入部ｂ６とが形成されており、可動体ａには、上面部ａ１と、上面部ａ１の左右が折り下げられた側壁部ａ２・ａ２と、押圧部ａ４とが形成されており、可動体ａが、台座ｂの立ち上げ部ｂ７・ｂ７間に、ボルト１を介して組み合わせられて成る屋根上取り付け金具Ａを用いる。【選択図】　　　図１
2004143686.tif 000002
【特許請求の範囲】
【請求項１】
台座と可動体とが、固定具を介して組み合わせられている屋根上取り付け金具であり、台座には、屋根面載置部と、屋根面載置部の左右が立ち上げられた立ち上げ部とが形成されており、前記屋根面載置部は、取り付けられたときに軒棟方向となる側において、少なくとも棟側が延出されてハゼ下挿入部が形成されており、可動体には、側壁部と、屋根材に押圧される押圧部とが形成されており、可動体が、台座の立ち上げ部間に組み合わせられている屋根上取り付け金具。
【請求項２】
台座と可動体とが、固定具を介して組み合わせられている屋根上取り付け金具であり、台座には、屋根面載置部と、屋根面載置部の左右が立ち上げられた立ち上げ部とが形成されており、前記屋根面載置部は、取り付けられたときに軒棟方向となる側がそれぞれ延出されてハゼ下挿入部が形成されており、可動体には、上面部と、上面部において、取り付けられたときに棟側となる側を折り下げてから延出して形成された上段屋根材押圧部と、上面部の左右が折り下げられた側壁部と、屋根材に押圧される押圧部とが形成されており、可動体が、台座の立ち上げ部間に組み合わせられている屋根上取り付け金具。
【発明の詳細な説明】
【０００１】
【発明が属する技術分野】
本発明は、横葺き屋根材に取り付けられる金具において、特に、後から取り付けられる金具に関するものである。
【０００２】
【従来の技術】
従来の技術について、図１９から図２１により説明する。
図１９は、特許２９０７３２６号公報に示されている屋根上取り付け金具Ａである。この屋根上取り付け金具Ａは、すでに施工されている屋根材５の面板部５３に載せて、止着具を用いて下地材６に固定し、その固定部周囲をシーリング処理したものである。そして、その屋根上取り付け金具Ａに、太陽光発電装置等を載せて固定する。
図２０の場合には、屋根材５の軒側の上面側が扁平にされて軒側方向に突出しており、そこに、内側方向から挿入することができる断面略Ｚ字状の吊子７を組み合わせる。その吊子７を、屋根材５の棟側に当てて、固定するのである。次に、その吊子７の上面に屋根材５の軒側を組み合わせる。さらに、その上から屋根上取り付け金具Ａを載せて、吊子７に止着具で固定する。そして、その屋根上取り付け金具Ａに、太陽光発電装置等を載せて固定する。
図２１の屋根上取り付け金具Ａは、上部押さえ板ｅの一側であって、取り付けたときに軒側となる側に穴があけられている。その穴には、下側から挟んで押さえるための下部支え板ｆが形成された押さえ金具ｇが挿入されている。そして、その押さえ金具ｇの上面にボルト１を挿入して、上部押さえ板ｅに挿入して用いるものである。その屋根上取り付け金具Ａの取り付け方法は、屋根の軒先上部に上部押さえ板ｅを載せ、軒先下部に下部支え板ｆを挿入し、ボルト１を締め付けることで軒先を挟み込んで固定するというものである。さらに、上部押さえ板ｅにおいて、取り付けたときに棟側となる側に、アンテナ等の支線を取り付ける。
【０００３】
【特許文献１】
特許第２９０７３２６号公報（図１６）
【特許文献２】
特許第２９０７３２６号公報（図２Ｂ）
【特許文献３】
実開平５−６４３２９号公報（図１）
【０００４】
【発明が解決しようとする課題】
図１９に示した従来技術は、止着具を用いて屋根材を貫通して下地材に固定している。そこで、屋根材の施工後に、屋根上取り付け金具の位置決めをしなければならないため、たいへん手間がかかっていた。そして、なにより、雨仕舞いに問題があった。
図２０に示した従来技術は、屋根上取り付け金具が固定される屋根材及び吊子の形状が限定され、すでに施工されている屋根材及び吊子がどのような形状であっても取り付けられるというものではなかった。
図２１に示した従来技術は、後付けであり、屋根の軒先を屋根材の軒側に置き換えて取り付けることが可能であるが、１本のボルトを締め付けるだけでは、強度に不安があった。
本発明はこれらの課題を解決するため、雨仕舞いが良好で、取り付けも簡単であり、強度も優れた、屋根上取り付け金具を提供することを目的とする。
【０００５】
【課題を解決するための手段】
上位概念となる構成は、請求項１に記載の通りであり、台座と可動体とが、固定具を介して組み合わせられている屋根上取り付け金具である。
台座には、屋根面載置部と、屋根面載置部の左右が立ち上げられた立ち上げ部とが形成されており、前記屋根面載置部は、取り付けられたときに軒棟方向となる側において、少なくとも棟側が延出されてハゼ下挿入部が形成されている。
可動体には、側壁部と、屋根材に押圧される押圧部とが形成されている。そして、台座の立ち上げ部間に可動体が組み合わせられる。
屋根面載置部の少なくとも棟側が延出されてハゼ下挿入部が形成されているが、棟側のみが延出されてハゼ下挿入部が形成されている場合もあるし、軒棟両側が延出されて下段ハゼ下挿入部と上段ハゼ下挿入部とが形成されている場合もある。
固定具を介して台座と組み合わせられる可動体は、台座に対して固定具を介して回動させたり、上下動させたりして用いる。
【０００６】
その一例が請求項２に記載したものである。その屋根上取り付け金具は、台座と可動体とが、固定具を介して組み合わせられて成っている。台座には、屋根面載置部と、屋根面載置部の左右が立ち上げられた立ち上げ部とが形成されており、前記屋根面載置部は、取り付けられたときに軒棟方向となる側がそれぞれ延出されてハゼ下挿入部が形成されている。
可動体には、上面部と、上面部において、取り付けられたときに棟側となる側を折り下げてから延出して形成された上段屋根材押圧部と、上面部の左右が折り下げられた側壁部と、屋根材に押圧される押圧部とが形成されている。
さらに、台座の立ち上げ部間に可動体が組み合わせられる。
【０００７】
【実施例】
本発明の実施例について、図面をもとに説明する。図１から図７は、本発明の屋根上取り付け金具Ａの第一実施例の説明図であり、図１は斜視図、図２は平面図、図３は正面図、図４は右側面図、図５及び図６は屋根材５への施工手順を示した図である。また、図７は、後述する摺動体ｃの説明図である。
図８から図１３は、本発明の屋根上取り付け金具Ａの第二実施例の説明図であり、図８は斜視図、図９は平面図、図１０は正面図、図１１は右側面図、図１２及び図１３は屋根材５への施工手順を示した図である。また、図１４は、第二実施例の一部の変形例を示す説明図である。
図１５と図１６は第三実施例の説明図であり、図１７と図１８は、第四実施例の説明図である。
【０００８】
まず、第一実施例について、図１〜図７に基づいて説明する。第一実施例の屋根上取り付け金具Ａは、主として、台座ｂと可動体ａと摺動体ｃの３つの部材から成っている。
台座ｂは、全体として上向きに開口する形状であり、屋根面に載せられる屋根面載置部ｂ１と、屋根面載置部ｂ１の両側であって屋根の左右方向となる側を立ち上げた立ち上げ部ｂ７・ｂ７と、立ち上げ部ｂ７・ｂ７の上縁を内側方向に折り曲げた折り曲げ部ｂ３・ｂ３とが形成されている。立ち上げ部ｂ７・ｂ７の一側であって取り付ける際に軒側となる側には穴ｂ８・ｂ８があけられている。
また、屋根面載置部ｂ１の一側であって取り付ける際に軒側となる側には、屋根面載置部ｂ１に切り込みを入れた被押圧片ｂ２が形成されており、他側であって取り付ける際に棟側となる側は、屋根面載置部ｂ１より延出されている。そして、そこに、上向きに突出してボルト１が取り付けられており、さらにその面が延出されて、上の段に施工されている屋根材５の軒側ハゼ部５１の下側に挿入される上段ハゼ下挿入部ｂ６が形成されている。
屋根面載置部ｂ１の軒側は折り下げられて折り下げ部ｂ４となっており、折り下げ部ｂ４の下縁を内側方向に折り曲げて、屋根面載置部ｂ１が載せられる屋根材５の軒側ハゼ部５１の下側に挿入される下段ハゼ下挿入部ｂ５が形成されている。
【０００９】
可動体ａは、全体として下向きに開口する形状であり、太陽光発電装置の架台等を取り付けるための支持枠が載せられる上面部ａ１と、上面部ａ１の両側であって屋根の左右方向となる側を折り下げた側壁部ａ２・ａ２とが形成されている。側壁部ａ２・ａ２の一側であって取り付ける際に軒側となる側は延出されて穴ａ５・ａ５があけられており、その下方は、前述の被押圧片ｂ２を押圧して、さらに屋根材５の面板部５３を押圧するための押圧部ａ４・ａ４となっている。　本実施例の押圧部ａ４・ａ４は、穴ａ５・ａ５の中心と同一の中心点を基準とした円弧状ではなく、偏心している。穴ａ５の中心点から内側方向で、しかも上方向にずれている。このため、同心円のものより、強固に押圧することができる。
また、上面部ａ１には、取り付けたときに軒棟方向に長い長穴ａ３が形成されており、上面部ａ１の一側であって取り付けたときに棟側となる側は、折り下げてからさらに延出されて、穴のあいているボルト貫通部ａ６が形成され、ボルト貫通部ａ６が延出されて上段屋根材押圧部ａ７が形成されている。
摺動体ｃは、ボルト１が突出している平面部ｃ１と、その両脇に形成されたＶ字状部ｃ２・ｃ２とを有している。
【００１０】
それでは、これら、台座ｂ・可動体ａ・摺動体ｃの組み合わせ状態を説明する。　まず、台座ｂに、ボルト１が突出している摺動体ｃを組み合わせる。次に、台座ｂの立ち上げ部ｂ７・ｂ７の間に可動体ａを組み合わせるが、摺動体ｃのＶ字状部ｃ２・ｃ２に可動体ａの側壁部ａ２・ａ２の下縁を当て、長穴ａ３から前述のボルト１を突出させる。
続いて、それぞれの穴ｂ８・ａ５を合わせて、ワッシャー３をはめてから、ボルト１を貫通して、ナット２で締め付けて台座ｂと可動体ａとを組み合わせる。こうして、台座ｂに対して可動体ａが、ボルト１を介して組み合わせられて屋根上取り付け金具Ａを成している。このとき可動体ａは、台座ｂに対して、ボルト１を介して回動させることができる。尚、台座ｂの下面側で屋根材の面板部５３と接する箇所には、発泡ゴム等の保護材８が取り付けられている。
【００１１】
このようにして製作された屋根上取り付け金具Ａの屋根材５への取り付け手順を説明する。まず、その屋根上取り付け金具Ａが取り付けられる屋根材５について、あらためて説明しておく。この屋根材５は金属板でできており、面板部５３と、その軒側を折り下げてから内側方向に折り曲げて形成された軒側ハゼ部５１と、面板部５３の棟側に形成された棟側ハゼ部５２とが形成されている。
そして、下地材に止着具を介して固定されており、本発明の屋根上取り付け金具Ａは、この屋根材５に対して、施工後に取り付けることができることを特徴としている。
【００１２】
その取り付けは、図５（ア）（イ）図６（ア）（イ）の順で行われる。まず、屋根上取り付け金具Ａの台座ｂの上段ハゼ下挿入部ｂ６を、上の段に施工されている屋根材５の軒側ハゼ部５１に、下段ハゼ下挿入部ｂ５を、屋根面載置部ｂ１を載せる屋根材５の軒側ハゼ部５１に、それぞれ挿入し、屋根面載置部ｂ１を屋根材５の面板部５３に載せる。
続いて、可動体ａを回動させて、そのボルト貫通部ａ６に形成された穴を、台座ｂから突出しているボルト１に通す。このとき、押圧部ａ４・ａ４が被押圧片ｂ２の両端を押し、被押圧片ｂ２が屋根材５の面板部５３を押圧して食い込むように上面部ａ１を押す。さらに、ボルト貫通部ａ６の穴から突出しているボルト１を、ナット２で締め付ける。このとき、屋根面載置部ｂ１が載せられている屋根材５の軒側を押圧部ａ４と下段ハゼ下挿入部ｂ５とで、その上段の屋根材５の軒側を上段屋根材押圧部ａ７と上段ハゼ下挿入部ｂ６とで挟むため、強固な固定ができる。
尚、図５と図６において、屋根材５の形状を、原形のまま描いているが、本来、屋根上取り付け金具Ａが取り付けられたときには、押圧により変形する。
【００１３】
こうして屋根材５上に取り付けられた屋根上取り付け金具Ａの上面部ａ１に、太陽光発電装置やアンテナやクーラー用室外機等を取り付ける。それらの機器を直接取り付ける場合もあるし、それらの支持枠等を上面部ａ１に取り付ける場合もある。
本実施例の屋根上取り付け金具Ａは、可動体ａの側壁部ａ２・ａ２下縁に添って、摺動体ｃのＶ字状部ｃ２・ｃ２が組み合わせられている。従って、図７に破線で示した通り、可動体ａの長穴ａ３から突出させた摺動体ｃのボルト１を軒棟方向に動かすことができる。このため、上面部ａ１に取り付ける部材の位置を調整することができる。
【００１４】
次に、第二実施例の屋根上取り付け金具Ａの実施例について、図８〜図１３に基づいて説明する。第二実施例の屋根上取り付け金具Ａは、主として、台座ｂと可動体ａの２つの部材から成っている。
台座ｂは、全体として上向きに開口する形状であり、屋根面に載せられる屋根面載置部ｂ１と、屋根面載置部ｂ１の両側であって屋根の左右方向となる側を立ち上げた立ち上げ部ｂ７・ｂ７と、立ち上げ部ｂ７・ｂ７の上縁を内側方向に折り曲げた折り曲げ部ｂ３・ｂ３とが形成されている。立ち上げ部ｂ７・ｂ７の一側であって取り付ける際に軒側となる側には穴ｂ８・ｂ８があけられている。
また、屋根面載置部ｂ１の一側であって取り付ける際に軒側となる側には、屋根面載置部ｂ１に切り込みを入れた被押圧片ｂ２が形成されており、他側であって取り付ける際に棟側となる側は屋根面載置部ｂ１より延出されている。そして、そこに、上向きに突出してボルト１が取り付けられている。さらに、その面は延出されて、上の段に施工されている屋根材５の軒側ハゼ部５１の下側に挿入される上段ハゼ下挿入部ｂ６が形成されている。
屋根面載置部ｂ１の軒側は折り下げられて折り下げ部ｂ４となっており、折り下げ部ｂ４の下縁を内側方向に折り曲げて、屋根上取り付け金具Ａの屋根面載置部ｂ１が載せられる屋根材５の軒側ハゼ部５１の下側に挿入される下段ハゼ下挿入部ｂ５が形成されている。
【００１５】
可動体ａは、全体として下向きに開口する形状であり、太陽光発電装置の架台等を取り付けるための支持枠が載せられる上面部ａ１と、上面部ａ１の両側であって屋根の左右方向となる側を折り下げた側壁部ａ２・ａ２とが形成されている。側壁部ａ２・ａ２の一側であって、取り付ける際に軒側となる側は延出されて穴ａ５・ａ５があけられており、その下方は、前述の被押圧片ｂ２を押圧して、さらに被押圧片ｂ２が屋根材５の面板部５３を押圧するための押圧部ａ４・ａ４となっている。
また、上面部ａ１において取り付けたときに棟側となる側は、折り下げてからさらに延出されて、穴のあいているボルト貫通部ａ６が形成され、ボルト貫通部ａ６が延出されて上段屋根材押圧部ａ７が形成されている。
【００１６】
続いて、これら、台座ｂ・可動体ａの組み合わせ状態を説明する。まず、台座ｂの折り曲げ部ｂ３・ｂ３間に、立ち上げ部ｂ７・ｂ７と並行させて可動体ａの側壁部ａ２・ａ２をはめ、それぞれの穴ｂ８・ａ５を合わせて、ワッシャー３をはめてからボルト１を貫通して、ナット２をはめて組み合わせる。こうして、台座ｂに対して、可動体ａが、回動可能にされて屋根上取り付け金具Ａを成している。
本実施例の場合には、第一実施例と異なり、摺動体ｃが組み合わせられていないので、より安価に製作することができる。
【００１７】
次に、このようにして製作された屋根上取り付け金具Ａの屋根材５への取り付け手順を説明する。屋根材５は、下地材に止着具を介して固定されており、本実施例の屋根上取り付け金具Ａも、この屋根材５に対して、施工後に取り付けることができることを特徴としている。
その取り付けは、図１２（ア）（イ）図１３（ア）（イ）の順で行われる。まず、屋根上取り付け金具Ａの台座ｂの上段ハゼ下挿入部ｂ６を、上の段に施工されている屋根材５の軒側ハゼ部５１の下側にに、下段ハゼ下挿入部ｂ５を、屋根面載置部ｂ１を載せる屋根材５の軒側ハゼ部５１の下側に、それぞれ挿入し、屋根面載置部ｂ１を屋根材５の面板部５３に載せる。
続いて、可動体ａを回動させて、そのボルト貫通部ａ６に形成された穴を、台座ｂから突出しているボルト１に通す。このとき、押圧部ａ４・ａ４が被押圧片ｂ２の両端を押し、被押圧片ｂ２が屋根材５の面板部５３を押圧して食い込み、側壁部ａ２・ａ２の下縁が屋根面載置部ｂ１の上面に載って止まるまで上面部ａ１を押す。さらに、ボルト貫通部ａ６の穴から突出しているボルト１を、ナット２で締め付ける。このとき、屋根面載置部ｂ１が載せられている屋根材５の軒側を押圧部ａ４と下段ハゼ下挿入部ｂ５とで、その上段の屋根材５の軒側を上段屋根材押圧部ａ７と上段ハゼ下挿入部ｂ６とで挟むため、強固な固定ができる。
尚、図５と図６において、屋根材５の形状を、原形のまま描いているが、本来、屋根上取り付け金具Ａが取り付けられたときには、押圧により変形する。
こうして屋根材５上に取り付けられた屋根上取り付け金具Ａの上面部ａ１に、太陽光発電装置やアンテナやクーラー用室外機等を取り付ける。それらの機器を直接取り付ける場合もあるし、それらの支持枠等を上面部ａ１に取り付ける場合もある。
【００１８】
図１４については、図１との相違点についてのみ説明する。図１４は、図１１の屋根上取り付け金具Ａの屋根面載置部ｂ１の一側に形成されている被押圧片ｂ２のないものである。つまり、軒側の一部が切り欠かれている。押圧部ａ４・ａ４がはまる箇所だけ切り欠いてもよいし、両方の押圧部ａ４・ａ４に渡る箇所を大きく切り欠いてもよい。
本実施例の場合には、屋根材５の面板部５３に対して、押圧部ａ４・ａ４が直接当たる。その押圧箇所は幅の狭い面となるため、屋根材５の変形が大きいので、比較的厚みのある屋根材５に適している。
【００１９】
続いて、図１５と図１６により、第三実施例について説明する。第三実施例の屋根上取り付け金具Ａも、主として、台座ｂと可動体ａの２つの部材から成っている。
台座ｂは、全体として上向きに開口する形状であり、屋根面に載せられる屋根面載置部ｂ１と、屋根面載置部ｂ１の両側であって屋根の左右方向となる側を立ち上げた立ち上げ部ｂ７・ｂ７とが形成されている。
また、屋根面載置部ｂ１の一側であって取り付ける際に軒側となる側には、屋根面載置部ｂ１に切り込みを入れた被押圧片ｂ２が形成されており、被押圧片ｂ２よりもやや棟側は屈曲されていて、ボルト１が突出している。
屋根面載置部ｂ１の軒側端縁は折り下げられて折り下げ部ｂ４となっており、折り下げ部ｂ４の下縁を内側方向に折り曲げて、屋根上取り付け金具Ａの屋根面載置部ｂ１が載せられる屋根材５の軒側ハゼ部５１の下側に挿入される下段ハゼ下挿入部ｂ５が形成されている。
他側であって取り付ける際に棟側となる側は、屋根面載置部ｂ１を立ち上げてから棟側方向に屈曲されている。そして、そこに、上向きに突出してボルト１が取り付けられている。さらに、その面は延出されて、上の段に施工されている屋根材５の軒側ハゼ部５１の下側に挿入される上段ハゼ下挿入部ｂ６が形成されている。
【００２０】
可動体ａは、全体として下向きに開口する形状であり、太陽光発電装置の架台等を取り付けるための支持枠が載せられる上面部ａ１と、上面部ａ１の両側であって屋根の左右方向となる側を折り下げた側壁部ａ２・ａ２とが形成されている。
上面部ａ１の軒側は、折り下げてからさらに軒側に延出されており、その面には穴ａ５があけられている。また、その面の左右は補強のために立ち上げられており、軒側端縁は折り下げられていて、中央部分に押圧部ａ４が形成されている。この押圧部ａ４は、前述の被押圧片ｂ２を押圧するためのものである。
さらに、上面部ａ１において取り付けたときに棟側となる側は、折り下げてから延出されて、穴のあいているボルト貫通部ａ６が形成され、ボルト貫通部ａ６が延出されて上段屋根材押圧部ａ７が形成されている。
【００２１】
続いて、これら、台座ｂ・可動体ａの組み合わせ状態を説明する。まず、台座ｂの立ち上げ部ｂ７・ｂ７間に可動体ａの側壁部ａ２・ａ２を並行させ、台座ｂから突出しているボルト１にはめて、ナット２で緩く締め付けて組み合わせておく。こうして、本実施例の場合には、これまで述べた実施例と異なり、台座ｂに対して可動体ａは、ボルト１を介して上下に動かすことができるように組み合わせられて屋根上取り付け金具Ａを成している。
【００２２】
このようにして製作された屋根上取り付け金具Ａの屋根材５への取り付け手順を説明する。屋根材５は前述した構成のものであり、下地材に止着具を介して固定されており、本実施例の屋根上取り付け金具Ａも、この屋根材５に対して、施工後に取り付けることができることを特徴としている。
まず、屋根上取り付け金具Ａの台座ｂの上段ハゼ下挿入部ｂ６を、上の段に施工されている屋根材５の軒側ハゼ部５１の下側に、下段ハゼ下挿入部ｂ５を、屋根面載置部ｂ１を載せる屋根材５の軒側ハゼ部５１の下側に、それぞれ挿入し、屋根面載置部ｂ１を屋根材５の面板部５３に載せる。続いて、ナット２をボルト１にはめて、可動体ａを台座ｂに締め付けるようにする。
このとき、押圧部ａ４が被押圧片ｂ２を押して屋根材５の面板部５３に食い込み、被押圧片ｂ２と押圧部ａ４とで、屋根面載置部ｂ１が載せられている屋根材５の軒側を、上段ハゼ下挿入部ｂ６と上段屋根材押圧部ａ７とで上段に施工されている屋根材５の軒側を挟むようにする。
こうして屋根材５上に取り付けられた屋根上取り付け金具Ａの上面部ａ１に、太陽光発電装置やアンテナやクーラー用室外機等を取り付ける。それらの機器を直接取り付ける場合もあるし、それらの支持枠等を上面部ａ１に取り付ける場合もある。
【００２３】
さらに、図１７と図１８により、第四実施例について説明する。ここに示した屋根上取り付け金具Ａは、台座ｂと可動体ａとが組み合わせられて成っている。台座ｂは、屋根面載置部ｂ１と、その左右両端縁を立ち上げた立ち上げ部ｂ７とから成る、上方に開口する形状をしており、それぞれの立ち上げ部ｂ７・ｂ７にはボルト１を通すことができる穴ｂ８・ｂ８があけられている。また、屋根面載置部ｂ１は、一側であって、取り付けたときに棟側となる側が延出されて、屋根材５の軒側ハゼ部５１の下側に挿入されるハゼ下挿入部ｂ９となっており、立ち上げ部ｂ７・ｂ７の一部は、屋根材５の軒側にはめることができるように切り欠かれている。
台座ｂに組み合わせられる可動体ａは、横向きに開口する形状をしており、棟側立面部ａ８と、その両脇に形成された側壁部ａ２・ａ２とから成っている。そして、側壁部ａ２・ａ２には上方と下方とに穴ａ５・ａ５があけられていて、押圧解除体ｄを取り付けるためのボルト１が上方の穴ａ５に貫通されて取り付けられている。下方の穴ａ５と台座ｂの穴とを貫通させたボルト１によって、台座ｂと回動体ａとが組み合わせられている。また、棟側立面部ａ８には、アイボルト４が取り付けられている。
【００２４】
この屋根上取り付け金具Ａは、次のようにして用いる。まず、可動体ａを軒側に傾けておき、屋根材５の軒側ハゼ部５１にハゼ下挿入部ｂ９を差し込んで屋根材５に台座ｂをはめる。次に、可動体ａを起こすように回動させて、屋根材５の面板部５３と軒側ハゼ部５１とを、それぞれ押圧部ａ４・ａ４とハゼ下挿入部ｂ９とで挟むように押圧する。
前述のアイボルト４には、安全作業をするためのロープ９等を結びつけて用いる。また、ロープ等の押圧解除体ｄが取り付けられているので、軒側方向からそれを引いて押圧を解除することで、施工後の屋根材５に上がらなくても、屋根上取り付け金具Ａを外すことができる。
本実施例の場合には、その上に取り付けられる部材の軒側への荷重がかかりにくい。図中右側方向（棟側）へ屋根上取り付け金具Ａが引っ張られていて、施工後には外してしまう。従って、一段の屋根材５だけを挟みつけている。
【００２５】
これまで述べた通り、本発明の屋根上取り付け金具Ａは、屋根材５に後から取り付けることを特徴としている。そして、屋根面載置部ｂ１が載せられている屋根材５の軒側を押圧して挟むため、強固な固定ができる。
また、二段の屋根材５を挟み込んで取り付けられる実施例の場合には、いっそう強固な固定となる。
さらに、台座ｂに対してボルト１を介して組み合わせられる可動体ａの可動状態は、回動のこともあれば、上下動のこともある。これまで述べた実施例では、固定具としてボルト１とナット２の組み合わせで説明しているが、台座ｂに可動体ａを組み合わせたときに、台座ｂに対して可動体ａを動かすことができる固定具であればよく、ボルト１の他にピン等公知の手段を使用してもよい。
図５や図１７に示した屋根材５は例として挙げたものであり、他の材質や他の形状の屋根材５に用いることもできる。
【００２６】
【発明の効果】
図１９に示した従来技術は、止着具を用いて横葺き屋根材を貫通して下地材に固定している。そこで、屋根材の施工後に、屋根上取り付け金具の位置決めをしなければならないため、たいへん手間がかかっていた。そして、なにより、雨仕舞いに問題があった。
図２０に示した従来技術は、屋根上取り付け金具が固定される横葺き屋根材及び吊子の形状が限定され、すでに施工されている横葺き屋根材及び吊子がどのような形状であっても取り付けられるというものではなかった。
図２１に示した従来技術は、後付けであり、屋根の軒先を屋根材の軒側に置き換えて取り付けることが可能であるが、１本のボルトを締め付けるだけでは、強度に不安があった。
本願はこれらの課題を解決するため、雨仕舞いが良好で、施工も簡単であり、強度も優れた、屋根上取り付け金具の取り付け構造を提供することを目的とする。
【図面の簡単な説明】
【図１】本発明の屋根上取り付け金具Ａの第一実施例の斜視図である。
【図２】本発明の屋根上取り付け金具Ａの第一実施例の平面図である。
【図３】本発明の屋根上取り付け金具Ａの第一実施例の正面図である。
【図４】本発明の屋根上取り付け金具Ａの第一実施例の右側面図である。
【図５】（ア）（イ）は、本発明の第一実施例の屋根上取り付け金具Ａの屋根材５への施工手順を示した説明図である。
【図６】（ア）（イ）は、本発明の第一実施例の屋根上取り付け金具Ａの屋根材５への施工手順を示した説明図である。
【図７】本発明の第一実施例の摺動体ｃの説明図である。
【図８】本発明の屋根上取り付け金具Ａの第二実施例の斜視図である。
【図９】本発明の屋根上取り付け金具Ａの第二実施例の平面図である。
【図１０】本発明の屋根上取り付け金具Ａの第二実施例の正面図である。
【図１１】本発明の屋根上取り付け金具Ａの第二実施例の右側面図である。
【図１２】（ア）（イ）は、本発明の第二実施例の屋根上取り付け金具Ａの屋根材５への施工手順を示した説明図である。
【図１３】（ア）（イ）は、本発明の第二実施例の屋根上取り付け金具Ａの屋根材５への施工手順を示した説明図である。
【図１４】本発明の屋根上取り付け金具Ａの第二実施例の一部の変形例を示す説明図である。
【図１５】本発明の屋根上取り付け金具Ａの第三実施例の説明図である。
【図１６】本発明の屋根上取り付け金具Ａの第三実施例の説明図である。
【図１７】本発明の屋根上取り付け金具Ａの第四実施例の説明図である。
【図１８】本発明の屋根上取り付け金具Ａの第四実施例の説明図である。
【図１９】従来技術の説明図である。
【図２０】従来技術の説明図である。
【図２１】従来技術の説明図である。
【符号の説明】
Ａ　　屋根上取り付け金具
ａ　　可動体
ａ１　上面部
ａ２　側壁部
ａ３　長穴
ａ４　押圧部
ａ５　穴
ａ６　ボルト貫通部
ａ７　上段屋根材押圧部
ａ８　棟側立面部
ｂ　　台座
ｂ１　屋根面載置部
ｂ２　被押圧片
ｂ３　折り曲げ部
ｂ４　折り下げ部
ｂ５　下段ハゼ下挿入部
ｂ６　上段ハゼ下挿入部
ｂ７　立ち上げ部
ｂ８　穴
ｂ９　ハゼ下挿入部
ｃ　　摺動体
ｃ１　平面部
ｃ２　Ｖ字状部
ｃ３　穴
ｄ　　押圧解除体
ｅ　　上部押さえ板
ｆ　　下部支え板
ｇ　　押さえ金具
１　　ボルト
２　　ナット
３　　ワッシャー
４　　アイボルト
５　　屋根材
５１　軒側ハゼ部
５２　棟側ハゼ部
５３　面板部
６　　下地材
７　　吊子
８　　保護材
９　　ロープ
【図１】
2004143686.tif 000003
【図２】
2004143686.tif 000004
【図３】
2004143686.tif 000005
【図４】
2004143686.tif 000006
【図５】
2004143686.tif 000007
【図６】
2004143686.tif 000008
【図７】
2004143686.tif 000009
【図８】
2004143686.tif 000010
【図９】
2004143686.tif 000011
【図１０】
2004143686.tif 000012
【図１１】
2004143686.tif 000013
【図１２】
2004143686.tif 000014
【図１３】
2004143686.tif 000015
【図１４】
2004143686.tif 000016
【図１５】
2004143686.tif 000017
【図１６】
2004143686.tif 000018
【図１７】
2004143686.tif 000019
【図１８】
2004143686.tif 000020
【図１９】
2004143686.tif 000021
【図２０】
2004143686.tif 000022
【図２１】
2004143686.tif 000023